(57)【特許請求の範囲】
【請求項１】
拡大側から縮小側に向かって、負の屈折力を持つ第１レンズ群と正の屈折力を持つ第２レンズ群とを、レンズ系中で最も大きな間隔を隔てて上記順序に配してなり、
縮小側にテレセントリックで、
第１レンズ群は、拡大側から縮小側へ向かって順に、両面に非球面を有する負レンズ、拡大側に凸面を向けたメニスカス形状の負レンズ、両面が凹の負レンズ、両面が凸の正レンズを有し、
第２レンズ群は、拡大側から縮小側へ向かって順に、拡大側に大きな曲率を持つ正レンズ、開口絞り、非球面を有するレンズ、３枚のレンズが張り合わされた接合レンズ、１枚以上の正レンズを有し、
拡大側の共役点が無限遠のときの空気中におけるバックフォーカス：Ｂｆ、全系の焦点距離：ｆ、第１レンズ群の焦点距離：ｆ１、第２レンズ群の焦点距離：ｆ２が、条件：
（１）  ２．５  ＜  Ｂｆ／ｆ  ＜  ４．１  
（２）  １．８  ＜｜ｆ１／ｆ｜＜  ３．２  
（３）  ５．０  ＜｜ｆ２／ｆ｜＜  ６．５  
を満足することを特徴とする投射用レンズ。
【請求項２】
請求項１記載の投射用レンズにおいて、
第２レンズ群が、拡大側から縮小側へ向かって順に、拡大側に大きな曲率を持つ正レンズ、開口絞り、縮小側に凸面を向けたメニスカス形状で非球面を有するレンズ、縮小側に大きな曲率を持つ負レンズと両面が凸の正レンズと縮小側に凸面を向けたメニスカス形状の負レンズの３枚が張り合わされた接合レンズ、両面が凸の正レンズを配してなることを特徴とする投射用レンズ。
【請求項３】
請求項１または２記載の投射用レンズにおいて、
第２レンズ群内の接合レンズを構成する３枚のレンズのうち、最も拡大側に配されたレンズのｄ線に対する屈折率：ＮL、中間に配されたレンズのｄ線に対する屈折率：ＮC、最も縮小側に配されたレンズのｄ線に対する屈折率：ＮRが、条件：
（４）  ０．３０  ＜｜（ＮL＋ＮR）／２−ＮC｜＜  ０．５０
を満足することを特徴とする投射用レンズ。
【請求項４】
請求項１〜３の任意の１に記載の投射用レンズにおいて、
第２レンズ群内の接合レンズを形成する３枚のレンズのうち、最も拡大側に配されたレンズのアッベ数：νL、中間に配されたレンズのアッベ数：νC、最も縮小側に配されたレンズのアッベ数：νRが、条件：
（５）  ３０  ＜｜（νL＋νR）／２−νC｜＜  ６５  
を満足することを特徴とする投射用レンズ。  
【請求項５】
請求項１〜４の任意の１に記載の投射用レンズにおいて、
第２レンズ群内の接合レンズに含まれる正レンズと、この接合レンズの縮小側に配された正レンズの、アッベ数の平均値：ν、部分分散比の平均値：θgFが、条件：
（６）  ０  ＜  θgF−(０．６４３８−０．００１６８２ν)  ＜０．０５
を満足することを特徴とする投射用レンズ。
【請求項６】
請求項１〜５の任意の１に記載の投射用レンズにおいて、
第１レンズ群と第２レンズ群の間において反射面により光路を９０度以上屈曲され、
第１レンズ群と第２レンズ群との空気間隔：ＤＧ12、全系の焦点距離：ｆが、条件：
（７）  ５．５  ＜  ＤＧ12／ｆ  ＜  １０．０
を満足することを特徴とする投射用レンズ。
【請求項７】
請求項１〜６の任意の１に記載の投射用レンズにおいて、
第２レンズ群内における非球面を有するレンズがプラスチックで形成され、その焦点距離：ｆPが、条件：
（８）  １０．０  ＜｜ｆP／ｆ２｜
を満足することを特徴とする投射用レンズ。
【請求項８】
請求項１〜７の任意の１に記載の投射用レンズにおいて、
半画角（度）：ω、レンズの明るさを表すＦナンバ：ＦNOが、条件：
（９）    ４５°  ＜  ω  ＜  ６０°
（１０）  １．８  ＜  ＦNO  ＜  ２．５
を満足することを特徴とする投射用レンズ。
【請求項９】
請求項１〜８の任意の１に記載の投射用レンズを搭載してなる投射型画像表示装置。
【発明の詳細な説明】
【技術分野】
【０００１】
この発明は、液晶表示素子やＤＭＤ（Digital  Micromirror  Device）等に表示される原画像をスクリーン等に拡大投射する投射用レンズおよび、この投射用レンズを搭載した投射型画像表示装置に関する。
【背景技術】
【０００２】
液晶表示素子、ＤＭＤ等に表示された「小さい原画像」をスクリーン等に拡大投射するプロジェクタは、コンパクトで且つ画像が高精細なことから、広く普及している。  
プロジェクタには、投射用レンズが観察者側にあって、スクリーン上に投射された拡大像を拡散反射光で観察する「フロントタイプのプロジェクタ」と、投射用レンズがスクリーンを介して観察者と反対側にありスクリーン上の投射像を拡散透過光で観察する「リアタイプのプロジェクタ」が知られている。
【０００３】
原画像の表示を液晶表示素子で行うプロジェクタは、３枚の液晶表示素子により変調された赤・緑・青の３つの光を色合成光学系により合成して投射用レンズに入射させるようになっており、色合成光学系としてのプリズムが投射用レンズと表示素子との間に配置される。
【０００４】
また、微小なミラーで構成されたＤＭＤ等の反射型表示素子により原画像を表示するプロジェクタでは、反射型表示素子を照明する光路を、反射型表示素子と投射用レンズとの間に確保しなければならない。  
従って、原画像の表示を液晶表示素子で行うにせよ反射型表示素子で行うにせよ、プロジェクタに用いられる投射用レンズには「長いバックフォーカス」が必要とされる。
【０００５】
液晶表示素子を用いる場合、色合成光学系に入射する光線の角度に応じて「色合成光学系の分光透過率」が変化するので、色合成光学系に入射する光線の入射角が揃っていないと「投射されたカラー画像における各色の明るさ」が画角により変化し、見づらい画像になる。このような不具合を避けるために、投射用レンズは「主光線の角度が縮小側で光軸と略平行になるテレセントリックな性質」を持つことが好ましい。
【０００６】
また、ＤＭＤ等の反射型表示素子を用いるプロジェクタは、反射型表示素子の照明系にＴＩＲプリズムを用いて光の利用効率の高める方式のものが知られているが、この方式のプロジェクタに用いられる投射用レンズにも、縮小側にテレセントリックな性質を持つことが求められる。
【０００７】
長いバックフォーカスを持ち、縮小側にテレセントリックである投射用レンズとしては、拡大側から順に「負の屈折力のレンズ群」と「正の屈折力のレンズ群」を配置する所謂「レトロフォーカスタイプ」のレンズが知られているが、このタイプの投射用レンズは、拡大側と縮小側の屈折力配置が非対称であるため歪曲収差、倍率色収差が顕著に発生しやすい。
【０００８】
さらに、フロントタイプ、リアタイプに係わらず「短い投射距離で大きな拡大画面を投射したい」という要求が強い。これを実現するために、投射用レンズの焦点距離を小さくする必要があり、投射用レンズの設計が困難なものになっている。
【０００９】
従来、広い画角を持ったレトロフォーカスタイプの投射用レンズとして特許文献１、２に記載のものが知られている。
【００１０】
【特許文献１】特開２００７−１４７９７０号公報
【特許文献２】特開２００７−１５６２１０号公報
【発明の開示】
【発明が解決しようとする課題】
【００１１】
この発明は、上述した事情に鑑み、少ないレンズ枚数で低コスト化を図りつつ、広い画角、十分明るいＦナンバ、長いバックフォーカスと高いテレセントリック性を持ち、「光路を折り曲げてコンパクト化を図るリアタイプのプロジェクタ」にも対応出来るレンズ配置が可能で、諸収差の小さい高精細な画像を得られる投射用レンズおよび、この投射用レンズを用いる投射型画像表示装置の実現を課題とする。
【課題を解決するための手段】
【００１２】
この発明の投射用レンズは「拡大側から縮小側に向かって、負の屈折力を持つ第１レンズ群と正の屈折力を持つ第２レンズ群とを、レンズ系中で最も大きな間隔を隔てて上記順序に配して」なり、縮小側にテレセントリックである。
【００１３】
第１レンズ群は、拡大側から縮小側へ向かって順に、両面に非球面を有する負レンズ、拡大側に凸面を向けたメニスカス形状の負レンズ、両面が凹の負レンズ、両面が凸の正レンズを有する。
【００１４】
第２レンズ群は、拡大側から縮小側へ向かって順に、拡大側に大きな曲率を持つ正レンズ、開口絞り、非球面を有するレンズ、３枚のレンズが張り合わされた接合レンズ、１枚以上の正レンズを有する。
【００１５】
拡大側の共役点が無限遠のときの空気中におけるバックフォーカス：Ｂｆ、全系の焦点距離：ｆ、第１レンズ群の焦点距離：ｆ１、第２レンズ群の焦点距離：ｆ２が、条件：
（１）  ２．５  ＜  Ｂｆ／ｆ  ＜  ４．１  
（２）  １．８  ＜｜ｆ１／ｆ｜＜  ３．２  
（３）  ５．０  ＜｜ｆ２／ｆ｜＜  ６．５  
を満足する（請求項１）。
【００１６】
請求項１記載の投射用レンズにおける第２レンズ群は、拡大側から縮小側へ向かって順に、拡大側に大きな曲率を持つ正レンズ、開口絞り、縮小側に凸面を向けたメニスカス形状で非球面を有するレンズ、「縮小側に大きな曲率を持つ負レンズと、両面が凸の正レンズと、縮小側に凸面を向けたメニスカス形状の負レンズの３枚が張り合わされた接合レンズ」、両面が凸の正レンズを配してなることができる（請求項２）。
【００１７】
請求項１または２記載の投射用レンズは、第２レンズ群内の接合レンズを構成する３枚のレンズのうち、最も拡大側に配されたレンズのｄ線に対する屈折率：ＮL、中間に配されたレンズのｄ線に対する屈折率：ＮC、最も縮小側に配されたレンズのｄ線に対する屈折率：ＮRが、条件：
（４）  ０．３０  ＜｜（ＮL＋ＮR）／２−ＮC｜＜  ０．５０
を満足することが好ましい（請求項３）。
【００１８】
請求項１〜３の任意の１に記載の投射用レンズは、第２レンズ群内の接合レンズを形成する３枚のレンズのうち、最も拡大側に配されたレンズのアッベ数：νL、中間に配されたレンズのアッベ数：νC、最も縮小側に配されたレンズのアッベ数：νRが、条件：
（５）  ３０  ＜｜（νL＋νR）／２−νC｜＜  ６５  
を満足することが好ましい（請求項４）。  
請求項１〜４の任意の１に記載の投射用レンズは、第２レンズ群内の接合レンズに含まれる正レンズと、この接合レンズの縮小側に配された正レンズの、アッベ数の平均値：ν、部分分散比の平均値：θgFが、条件：
（６）  ０  ＜  θgF−(０．６４３８−０．００１６８２ν)  ＜０．０５
を満足することが好ましい（請求項５）。
【００１９】
請求項１〜５の任意の１に記載の投射用レンズは、第１レンズ群と第２レンズ群の間において反射面により光路を９０度以上屈曲されることができ、この場合、第１レンズ群と第２レンズ群との空気間隔：ＤＧ12、全系の焦点距離：ｆが、条件：
（７）  ５．５  ＜  ＤＧ12／ｆ  ＜  １０．０
を満足する（請求項６）。
【００２０】
請求項１〜６の任意の１に記載の投射用レンズは、第２レンズ群内における非球面を有するレンズがプラスチックで形成され、その焦点距離：ｆPが、条件：
（８）  １０．０  ＜｜ｆP／ｆ２｜
を満足することが好ましい（請求項７）。
【００２１】
請求項１〜７の任意の１に記載の投射用レンズは、半画角（度）：ω、レンズの明るさを表すＦナンバ：ＦNOが、条件：
（９）    ４５°  ＜  ω  ＜  ６０°
（１０）  １．８  ＜  ＦNO  ＜  ２．５
を満足することが好ましい（請求項８）。
【００２２】
この発明の投射型画像表示装置は、上記請求項１〜８の任意の１に記載の投射用レンズを搭載してなる（請求項９）。この投射型画像表示装置は、前述の「フロントタイプのプロジェクタ」や「リアタイプのプロジェクタ」として実施することができる。特に、請求項６の投射用レンズは、第１レンズ群と第２レンズ群の間で「反射により光路を屈曲させる」ので、リアタイプのプロジェクタ用に好適に用いることができる。
【００２３】
説明を補足する。
【００２４】
より広い画角を有する投射用レンズを得るには、焦点距離をより短くする必要がある。投射用レンズは、色合成光学系を配置する必要性や反射型表示素子を照明する光路を確保する必要性から「長いバックフォーカス」を保持しつつ、焦点距離を短くしなければならない。
【００２５】
「レンズ面間隔・レンズ面曲率半径をそのまま小さくして焦点距離を短く」すると当然にバックフォーカスも短くなり、焦点距離に対するバックフォーカスの比率（レトロ比）が大きな値になり、投射用レンズの屈折力配置の非対称性はますます大きなものとなって歪曲収差、倍率色収差の発生が顕著になりやすい。
【００２６】
また、上述の如く、投射用レンズは「縮小側にテレセントリックな性質を持つ必要」があるので、縮小側の正レンズ群の屈折力は、テレセントリックな性質を持たない場合に比べて大きく、その非対称性はより顕著となり、発生する諸収差の補正がより困難になる。
【００２７】
この発明の投射用レンズは、前述の如き構成により緒収差の効果的な補正を可能としている。  
条件（１）は、所望の「大きな画角」を保持しつつ、投射用レンズに必要にして十分なバックフォーカス確保するための条件である。  
広い画角を保持しつつ（即ち、全系の焦点距離：ｆを小さく保ちつつ）、パラメータ：Ｂｆ／ｆが条件（１）の下限を超えると、バックフォーカス：Ｂｆが短くなりすぎて、投射用レンズと表示素子の間に「色合成光学系の配置や反射型表示素子を照明する光路の確保」に必要なスペースを形成するのが困難になる。
【００２８】
所望の「十分なバックフォーカス」を保持しつつ条件式（１）の上限を超えると、全系の焦点距離：ｆが小さくなり、大きな画角では諸収差の補正が困難になってしまう。
【００２９】
条件（２）は、十分に長いバックフォーカスと、良好な光学性能を両立するための条件である。  
パラメータ：｜ｆ１／ｆ｜が、条件（２）の上限を超えると｜ｆ１｜が大きくなり過ぎて第１レンズ群の負の屈折力が小さくなり、所望のバックフォーカスを得るのが困難になり、下限を越えると、バックフォーカスは十分に確保できるが、｜ｆ１｜が小さくなり過ぎて第１レンズ群の負の屈折力が過大になり、コマ収差、像面湾曲等の収差を良好に保つのが困難になる。
【００３０】
条件（３）は、レンズのコストと良好な光学性能を両立するための条件である。  
パラメータ：｜ｆ２／ｆ｜が、条件（３）の上限を超えると｜ｆ２｜が大きくなり、バックフォーカスは延びるがレンズも大きくなりコスト増を招き、下限を越えると、第２レンズ群の焦点距離が短くなって緒収差の補正が困難となる。
【００３１】
条件（４）は、第２レンズ群に配される「接合レンズを構成する３枚のレンズ」の屈折率を規定するものである。  
パラメータ：｜（ＮL＋ＮR）／２−ＮC｜が下限を越えると負レンズと正レンズの屈折率差が小さくなって接合面の曲率が大きくなり、加工しづらいコスト高のレンズとなる。
【００３２】
条件（５）は上記「接合レンズを構成する３枚のレンズ」のアッベ数を規定するものである。  
パラメータ：｜（νL＋νR）／２−νC｜が、上限・下限いずれを超えても、軸上色収差、倍率色収差の補正が困難になり、高い像性能を持つ投射用レンズの実現が難しくなる。
【００３３】
この発明の投射用レンズは、上記接合レンズに含まれる正レンズと、該接合レンズの縮小側に配置された正レンズの「異常分散性の平均」を、条件（６）により規制することで、さらに倍率色収差を良好に補正することが可能となっている。
【００３４】
光学ガラスの「部分分散比」は、ｇ線（４３５．８３ｎｍ）に対する屈折率：Ｎｇ、Ｆ線（４８６．１３ｎｍ）に対する屈折率：ＮＦ、Ｃ線（６５６．２７ｎｍ）に対する屈折率：ＮＣにより、  
「（Ｎｇ−ＮＦ）／（ＮＦ−ＮＣ）」で表わされる。
【００３５】
上記「接合レンズに含まれる正レンズと、該接合レンズの縮小側に配置された正レンズの部分分散比の平均」を「θgF」、これら正レンズのアッベ数の平均を「ν」とすると、条件（６）で表されるパラメータ：θgF−(０．６４３８−０．００１６８２ν)は、上記２枚の正レンズの「異常分散性の平均」となる。
【００３６】
パラメータ：θgF−(０．６４３８−０．００１６８２ν)が、条件（６）の下限を超えると倍率色収差を補正する効果が弱くなってしまい、上限を超えると、収差補正の効果は大きくなるがレンズは高価なものとなってしまう。
【００３７】
「リアタイプのプロジェクタ」は、セットを薄くするため、搭載される投射用レンズは「途中で光路を９０度以上折り曲げた形態」が一般的となっている。  
条件（７）は、第１レンズ群と第２レンズ群の間で、投射用レンズが折り曲げ可能となる間隔を確保するための条件である。
【００３８】
パラメータ：ＤＧ12／ｆが、条件（７）の下限を超えると９０度を超えて投射用レンズの光路を屈曲させることが困難となり、上限を超えると、第１レンズ群と第２レンズ群が離れすぎて投射用レンズが大型化しコンパクト性が失われ、コストも増大する。
【００３９】
第２レンズ群内に配される「非球面を有するレンズ」はコスト面から、プラスチックで形成されるのがよいが、プラスチックレンズは温度による屈折率変化が大きく「ピント位置や倍率」の変動を招きやすい。
【００４０】
条件（８）は、「プラスチックで形成されたレンズ（第２レンズ群内に配される「非球面を有するレンズ」）を規制し、温度変化による「ピント位置や倍率」の変動を小さく抑えるためのものである。
【００４１】
パラメータ：｜ｆP／ｆ２｜が条件（８）の下限を超えると、プラスチックレンズの焦点距離が短くなり、第２レンズ群中におけるプラスチックレンズのパワーが相対的に強まり、温度変化によるピント位置や倍率の変動が大きい投射用レンズになってしまう。
【００４２】
条件（９）は、投射用レンズの投射半画角を規制するものである。この条件を満たす大きな半画角により「所望の大きさの投射画像を、より短い投射距離」で実現できる。
【００４３】
また、原画像を表示する表示素子を「投射用レンズの光軸からずらして配置」することも可能となり、「フロントタイプのプロジェクタ」では、プロジェクタが観察に邪魔にならない方向に「画像を十分にシフトして投射」することができる。「リアタイプのプロジェクタ」においても、表示素子を投射用レンズの光軸からずらして配置することで、セット内での配置の自由度が増し、セットの薄型化を実現できる。
【００４４】
条件（１０）は、投射用レンズの明るさを表すＦナンバを規制するもので「フロント、リア」の何れのタイプのプロジェクタに搭載されても、十分に明るい画像を投射することができる。
【発明の効果】
【００４５】
以上に説明したように、この発明によれば新規な投射用レンズを実現できる。この発明の投射用レンズは、少ないレンズ枚数でありながら、後述する実施例に示すように、半画角：５４．５度と広い画角で、Ｆナンバ：２と十分明るく、長いバックフォーカスと縮小側における高いテレセントリック性を持ち、レンズ系内における光路折り曲げが可能で、諸収差の小さい良好な画像を得られる。従って、この投射用レンズを搭載した投射型画像表示装置は高精細な画像の投射を実現できる。
【発明を実施するための最良の形態】
【００４６】
図１に、投射用レンズの実施の１形態を示す。この形態は、後述する実施例１の投射レンズの形態である。  
図１の投射用レンズは、拡大側（図の左方）から縮小側に向かって、負の屈折力を持つ第１レンズ群Ｉと正の屈折力を持つ第２レンズ群ＩＩとを、レンズ系中で最も大きな間隔を隔てて上記順序に配してなり、縮小側にテレセントリックで、第１レンズ群Ｉは、拡大側から縮小側へ向かって順に、両面に非球面を有する負レンズ、拡大側に凸面を向けたメニスカス形状の負レンズ、両面が凹の負レンズ、両面が凸の正レンズを有し、第２レンズ群ＩＩは、拡大側から縮小側へ向かって順に、拡大側に大きな曲率を持つ正レンズ、開口絞りＳ、非球面を有するレンズ、３枚のレンズが張り合わされた接合レンズ、１枚以上の正レンズを有する。そして、後述の実施例１のように、拡大側の共役点が無限遠のときの空気中におけるバックフォーカス：Ｂｆ、全系の焦点距離：ｆ、第１レンズ群の焦点距離：ｆ１、第２レンズ群の焦点距離：ｆ２が、条件：
（１）  ２．５  ＜  Ｂｆ／ｆ  ＜  ４．１  
（２）  １．８  ＜｜ｆ１／ｆ｜＜  ３．２  
（３）  ５．０  ＜｜ｆ２／ｆ｜＜  ６．５  
を満足する。
【００４７】
なお、図１において、符号Ｐは「色合成光学系であるプリズム」、符号ＭＤは表示素子の原画像表示面を示している。以下に説明する他の実施の形態に関する図（図４、図７、図１０、図１３）においても同様である。
【００４８】
図１の投射用レンズにおいて、第２レンズ群ＩＩは、拡大側から縮小側へ向かって順に、拡大側に大きな曲率を持つ正レンズ、開口絞りＳ、縮小側に凸面を向けたメニスカス形状で非球面を有するレンズ、「縮小側に大きな曲率を持つ負レンズと、両面が凸の正レンズと、縮小側に凸面を向けたメニスカス形状の負レンズの３枚が張り合わされた接合レンズ」、両面が凸の正レンズを配して構成されている。
【００４９】
図４に、投射用レンズの実施の１形態を示す。この形態は、後述する実施例２の投射レンズの形態である。  
図４の投射用レンズは、拡大側（図の左方）から縮小側に向かって、負の屈折力を持つ第１レンズ群Ｉと正の屈折力を持つ第２レンズ群ＩＩとを、レンズ系中で最も大きな間隔を隔てて上記順序に配してなり、縮小側にテレセントリックで、第１レンズ群Ｉは、拡大側から縮小側へ向かって順に、両面に非球面を有する負レンズ、拡大側に凸面を向けたメニスカス形状の負レンズ、両面が凹の負レンズ、両面が凸の正レンズを有し、第２レンズ群ＩＩは、拡大側から縮小側へ向かって順に、拡大側に大きな曲率を持つ正レンズ、開口絞りＳ、非球面を有するレンズ、３枚のレンズが張り合わされた接合レンズ、１枚以上の正レンズを有する。そして、後述の実施例２のように、拡大側の共役点が無限遠のときの空気中におけるバックフォーカス：Ｂｆ、全系の焦点距離：ｆ、第１レンズ群の焦点距離：ｆ１、第２レンズ群の焦点距離：ｆ２が、条件：
（１）  ２．５  ＜  Ｂｆ／ｆ  ＜  ４．１  
（２）  １．８  ＜｜ｆ１／ｆ｜＜  ３．２  
（３）  ５．０  ＜｜ｆ２／ｆ｜＜  ６．５  
を満足する。
【００５０】
図４の投射用レンズにおいて、第２レンズ群ＩＩは、拡大側から縮小側へ向かって順に、拡大側に大きな曲率を持つ正レンズ、開口絞りＳ、縮小側に凸面を向けたメニスカス形状で非球面を有するレンズ、「縮小側に大きな曲率を持つ負レンズと、両面が凸の正レンズと、縮小側に凸面を向けたメニスカス形状の負レンズの３枚が張り合わされた接合レンズ」、両面が凸の正レンズを配して構成されている。
【００５１】
図７に、投射用レンズの実施の１形態を示す。この形態は、後述する実施例３の投射レンズの形態である。  
図７の投射用レンズは、拡大側（図の右斜め上）から縮小側に向かって、負の屈折力を持つ第１レンズ群Ｉと正の屈折力を持つ第２レンズ群ＩＩとを、レンズ系中で最も大きな間隔を隔てて上記順序に配してなり、縮小側にテレセントリックで、第１レンズ群Ｉは、拡大側から縮小側へ向かって順に、両面に非球面を有する負レンズ、拡大側に凸面を向けたメニスカス形状の負レンズ、両面が凹の負レンズ、両面が凸の正レンズを有し、第２レンズ群ＩＩは、拡大側から縮小側へ向かって順に、拡大側に大きな曲率を持つ正レンズ、開口絞りＳ、非球面を有するレンズ、３枚のレンズが張り合わされた接合レンズ、１枚以上の正レンズを有する。そして、後述の実施例３のように、拡大側の共役点が無限遠のときの空気中におけるバックフォーカス：Ｂｆ、全系の焦点距離：ｆ、第１レンズ群の焦点距離：ｆ１、第２レンズ群の焦点距離：ｆ２が、条件：
（１）  ２．５  ＜  Ｂｆ／ｆ  ＜  ４．１  
（２）  １．８  ＜｜ｆ１／ｆ｜＜  ３．２  
（３）  ５．０  ＜｜ｆ２／ｆ｜＜  ６．５  
を満足する。
【００５２】
図７の投射用レンズにおいては、第２レンズ群ＩＩが、拡大側から縮小側へ向かって順に、拡大側に大きな曲率を持つ正レンズ、開口絞りＳ、縮小側に凸面を向けたメニスカス形状で非球面を有するレンズ、「縮小側に大きな曲率を持つ負レンズと、両面が凸の正レンズと、縮小側に凸面を向けたメニスカス形状の負レンズの３枚が張り合わされた接合レンズ」、両面が凸の正レンズを配して構成されている。  
また、第１レンズ群Ｉと第２レンズ群ＩＩの間において「反射面」により光路を９０度以上屈曲されている。
【００５３】
図１０に、投射用レンズの実施の１形態を示す。この形態は、後述する実施例４の投射レンズの形態である。  
図１０の投射用レンズは、拡大側（図の左方）から縮小側に向かって、負の屈折力を持つ第１レンズ群Ｉと正の屈折力を持つ第２レンズ群ＩＩとを、レンズ系中で最も大きな間隔を隔てて上記順序に配してなり、縮小側にテレセントリックで、第１レンズ群Ｉは、拡大側から縮小側へ向かって順に、両面に非球面を有する負レンズ、拡大側に凸面を向けたメニスカス形状の負レンズ、両面が凹の負レンズ、両面が凸の正レンズを有し、第２レンズ群ＩＩは、拡大側から縮小側へ向かって順に、拡大側に大きな曲率を持つ正レンズ、開口絞りＳ、非球面を有するレンズ、３枚のレンズが張り合わされた接合レンズ、１枚以上の正レンズを有する。そして、後述の実施例４のように、拡大側の共役点が無限遠のときの空気中におけるバックフォーカス：Ｂｆ、全系の焦点距離：ｆ、第１レンズ群の焦点距離：ｆ１、第２レンズ群の焦点距離：ｆ２が、条件：
（１）  ２．５  ＜  Ｂｆ／ｆ  ＜  ４．１  
（２）  １．８  ＜｜ｆ１／ｆ｜＜  ３．２  
（３）  ５．０  ＜｜ｆ２／ｆ｜＜  ６．５  
を満足する。
【００５４】
図１０の投射用レンズにおいては、第２レンズ群ＩＩが、拡大側から縮小側へ向かって順に、拡大側に大きな曲率を持つ正レンズ、開口絞りＳ、縮小側に凸面を向けたメニスカス形状で非球面を有するレンズ、「縮小側に大きな曲率を持つ負レンズと、両面が凸の正レンズと、縮小側に凸面を向けたメニスカス形状の負レンズの３枚が張り合わされた接合レンズ」、両面が凸の正レンズを配して構成されている。  
また、第１レンズ群Ｉと第２レンズ群ＩＩの間において「反射面」により光路を９０度以上屈曲されている。
【００５５】
図１３に、投射用レンズの実施の１形態を示す。この形態は、後述する実施例５の投射レンズの形態である。  
図１３の投射用レンズは、拡大側（図の左方）から縮小側に向かって、負の屈折力を持つ第１レンズ群Ｉと正の屈折力を持つ第２レンズ群ＩＩとを、レンズ系中で最も大きな間隔を隔てて上記順序に配してなり、縮小側にテレセントリックで、第１レンズ群Ｉは、拡大側から縮小側へ向かって順に、両面に非球面を有する負レンズ、拡大側に凸面を向けたメニスカス形状の負レンズ、両面が凹の負レンズ、両面が凸の正レンズを有し、第２レンズ群ＩＩは、拡大側から縮小側へ向かって順に、拡大側に大きな曲率を持つ正レンズ、開口絞りＳ、非球面を有するレンズ、３枚のレンズが張り合わされた接合レンズ、１枚以上の正レンズを有する。そして、後述の実施例５のように、拡大側の共役点が無限遠のときの空気中におけるバックフォーカス：Ｂｆ、全系の焦点距離：ｆ、第１レンズ群の焦点距離：ｆ１、第２レンズ群の焦点距離：ｆ２が、条件：
（１）  ２．５  ＜  Ｂｆ／ｆ  ＜  ４．１  
（２）  １．８  ＜｜ｆ１／ｆ｜＜  ３．２  
（３）  ５．０  ＜｜ｆ２／ｆ｜＜  ６．５  
を満足する。
【００５６】
図１３の投射用レンズにおいては、第２レンズ群ＩＩが、拡大側から縮小側へ向かって順に、拡大側に大きな曲率を持つ正レンズ、開口絞りＳ、縮小側に凸面を向けたメニスカス形状で非球面を有するレンズ、「縮小側に大きな曲率を持つ負レンズと、両面が凸の正レンズと、縮小側に凸面を向けたメニスカス形状の負レンズの３枚が張り合わされた接合レンズ」、両面が凸の正レンズを配して構成されている。  
また、第１レンズ群Ｉと第２レンズ群ＩＩの間において「反射面」により光路を９０度以上屈曲されている。
【００５７】
図１６は、投射型画像表示装置の実施の１形態を示す図である。  
図１６の投射型画像表示装置は「リアタイプのプロジェクタ」であり、液晶表示素子等を用いる画像表示手段ＩＬに表示された原画像で変調された光を、投射用レンズＬで結像光束とし、ミラーＭで反射させてスクリーンＳＣ上に拡大画像として投射する。投射用レンズとして請求項６記載のもの、具体的には実施例３〜５の何れかを用いて構成する。
【実施例】
【００５８】
以下、投射用レンズの具体的な実施例を５例挙げる。  
各実施例において、面番号は拡大側（スクリーン側）から縮小側（表示素子側）に数えた数字で表し、スクリーンを物面、表示素子を像面とした。
【００５９】
「Ｒ」により各面（開口絞りＳの面、色合成光学系であるプリズムＰの面を含む）の曲率半径（非球面にあっては近軸曲率半径）を表し、「Ｄ」により光軸上の面間隔を表す。
【００６０】
「Ｎｄ」及び「νｄ」により、各レンズの材質の「ｄ線に対する屈折率とアッベ数」を示す。
【００６１】
「有効径」はレンズの光軸から光線の通る最大高さを示す。
【００６２】
「像高」は光軸から表示素子面の最大高さ、「レンズ全長」は最も拡大側のレンズ面から最も縮小側のレンズ面までの距離にバックフォーカスを加えたもの、「ＢＦ」は拡大側の共役点が無限遠の時の空気中（プリズムのない状態）における最も縮小側のレンズ面から近軸像までの距離を表す。
【００６３】
非球面の形状は、光軸との交点を原点として、光軸に対する高さ：ｈ、光軸方向の変移：Ｚ、近軸曲率半径：Ｒ、円錐定数：Ｋ、ｎ次項の非球面係数：Ａnとして、周知の式：
Ｚ＝（１/Ｒ）・ｈ２/［１＋√{１−(１＋Ｋ)・（１/Ｒ）２・ｈ２}］
+Ａ4・ｈ4+Ａ6・ｈ6+Ａ8・ｈ8+・・・+Ａn・ｈn 
で表し、上記Ｒ、Ｋ、Ａn、を与えて特定する。
【００６４】
図１に、実施例１の投射用レンズのレンズ構成を示す。
【００６５】
実施例１の投射用レンズは「フロントタイプのプロジェクタ」としての使用状態を表しており、拡大側（図の左方）から第１レンズ群Ｉ、開口絞りＳ、第２レンズ群ＩＩを配し表示素子ＭＤの間には、色合成光学系であるプリズムＰが挿入されている。最も拡大側に配されたレンズはプラスチック製であり「キズ等を防止する目的で、カバーガラスを拡大側に取り付ける」こともできる。
【００６６】
「実施例１」  
単位  ｍｍ
面番号     Ｒ         Ｄ         Ｎｄ     νｄ      有効径
物面         ∞    493.000
1*    −431.756      4.631     1.49154     57.8     48.897
2*       48.995     21.549                          38.771
3       116.944      2.600     1.62004     36.3     30.550
4        28.253     17.619                          21.938
5      −53.318      1.700     1.67003     47.2     18.915
6        30.183      8.651                          17.004
7        43.551      9.794     1.51680     64.2     18.086
8     −123.955     53.235                          17.800
9        31.267      3.722     1.75520     27.5     11.300
10      149.457      3.802                          10.942
11(絞り)     ∞     10.445                          10.414
12*    −46.823      2.000     1.50966     56.5      9.200
13*    −48.385     10.572                           9.314
14      157.228      1.200     1.84666     23.8     10.300
15       19.780     10.967     1.49700     81.6     10.574
16     −15.297      1.200     1.83400     37.3     11.335
17     −28.786      0.329                          12.636
18       72.236      7.658     1.48749     70.4     14.111
19     −26.251      5.000                          14.377
20           ∞     30.000     1.51680     64.2     13.282
21           ∞      2.762                          10.961
像面         ∞                                              。
【００６７】
「非球面」
第１面
Ｋ＝0、Ａ4＝0.100631×10−4、Ａ6＝−0.693046×10−8、
Ａ8＝0.262258×10−11、Ａ10＝−0.136164×10−15、
Ａ12＝−0.188891×10−18、Ａ14＝0.454093×10−22
第２面
Ｋ＝−6.628492、Ａ4＝0.110558×10−4、Ａ6＝0.994074×10−8、
Ａ8＝−0.360192×10−10、Ａ10＝0.372229×10−13、
Ａ12＝−0.176248×10−16、Ａ14＝0.317082×10−20
第１２面
Ｋ＝4.608180、Ａ4＝0.124125×10−4、Ａ6＝−0.417702×10−6、
Ａ8＝0.108138×10−7、Ａ10＝−0.953873×10−10、Ａ12＝0.332372×10−12
第１３面
Ｋ＝−57.713013、Ａ4＝−0.406926×10−4、Ａ6＝0.275307×10−6、
Ａ8＝0.351568×10−8、Ａ10＝−0.462197×10−10、Ａ12＝0.187537×10−12          。
【００６８】
「各種データ」
焦点距離          ７．３８
Ｆナンバー        ２．０
半画角          ５４．５°
像高            １０．６４
レンズ全長    １９９．１１
ＢＦ            ２７．４４                          。
【００６９】
「条件のパラメータの値」
（１）  Ｂｆ／ｆ＝３．７２
（２）  ｜ｆ１／ｆ｜＝２．６４
（３）  ｜ｆ２／ｆ｜＝６．００
（４）  ｜（ＮL＋ＮR）／２−ＮC｜＝０．３４
（５）  ｜（νL＋νR）／２−νC｜＝５１．０５
（６）  θgF−(０．６４３８−０．００１６８２ν)＝０．０２３
（７）  ＤＧ12／ｆ＝７．２２
（８）  ｜ｆP／ｆ２｜＝１１３．１９  
条件（９）、（１０）の「ω」は半画角、「ＦNO」はＦナンバで上に示した。以下の実施例においても同様とする。
【００７０】
実施例１の投射用レンズを縮小側ベスト像面で評価した球面収差、非点収差、歪曲収差の図を図２に、コマ収差の図を図３に示す。  
各収差図は「５４６．１ｎｍの波長を持つ緑色光の収差」を示すが、球面収差図、コマ収差図には赤、青の光を代表して波長：６１０ｎｍと４７０ｎｍの収差も表示している。非点収差図におけるＳはサジタル像面、Ｍはメリディオナル像面の収差を示す。以下の各実施例の収差図においても同様である。
【００７１】
図４に、実施例２の投射用レンズのレンズ構成を示す。  
実施例２の投射用レンズでは、第２レンズ群に配された第６レンズの非球面は拡大側の面のみとなっている。
【００７２】
「実施例２」
面番号      Ｒ        Ｄ        Ｎｄ     νｄ      有効径
物面         ∞    493.000
1*    −362.436      4.900     1.49154     57.8     49.057
2*       48.860     20.887                          38.226
3        89.158      2.600     1.62004     36.3     29.634
4        27.799     16.673                          21.693
5      −56.644      2.007     1.66672     48.3     19.178
6        29.126     11.495                          16.951
7        45.715     11.000     1.48749     70.4     18.165
8     −123.689     46.317                          17.800
9        40.625      3.656     1.75520     27.5     11.300
10     1663.866      9.307                          11.009
11(絞り)     ∞      6.481                           9.563
12*    −75.416      3.000     1.50966     56.5      9.200
13     −78.753     12.167                           9.413
14      204.057      1.200     1.84666     23.8     10.300
15       20.288     11.061     1.49700     81.6     10.648
16     −15.586      1.209     1.83481     42.7     11.503
17     −27.031      0.349                          12.766
18       56.084      7.961     1.48749     70.4     14.476
19     −28.913      5.000                          14.695
20           ∞     30.000     1.51680     64.2     13.512
21           ∞      2.405                          10.930
像面         ∞                                        。
【００７３】
「非球面」
第１面  
Ｋ＝0、Ａ4＝0.101446×10−4、Ａ6＝−0.694008×10−8、
Ａ8＝0.261014×10−11、Ａ10＝−0.134172×10−15、
Ａ12＝−0.187296×10−18、Ａ14＝0.444449×10−22
第２面  
Ｋ＝−6.338827、Ａ4＝0.111180×10−4、Ａ6＝0.998324×10−8、
Ａ8＝−0.359963×10−10、Ａ10＝0.372287×10−13、
Ａ12＝−0.176289×10−16、Ａ14＝0.316314×10−20
第１２面  
Ｋ＝12.080386、Ａ4＝0.807303×10−6、Ａ6＝−0.368747×10−6、
Ａ8＝0.811198×10−8、Ａ10＝−0.832798×10−10、Ａ12＝0.327366×10−12        。
【００７４】
「各種データ」
焦点距離          ７．３８
Ｆナンバー        ２．０
半画角          ５４．５°
像高            １０．６４
レンズ全長    １９９．３６
ＢＦ            ２７．０９              。
【００７５】
「条件のパラメータの値」
（１）  Ｂｆ／ｆ＝３．６７
（２）  ｜ｆ１／ｆ｜＝２．７２
（３）  ｜ｆ２／ｆ｜＝６．２３
（４）  ｜（ＮL＋ＮR）／２−ＮC｜＝０．３４
（５）  ｜（νL＋νR）／２−νC｜＝４８．３５
（６）  θgF−(０．６４３８−０．００１６８２ν)＝０．０２３
（７）  ＤＧ12／ｆ＝６．２８
（８）  ｜ｆP／ｆ２｜＝１０９．１８                                    。
【００７６】
実施例２の投射用レンズを縮小側ベスト像面で評価した球面収差、非点収差、歪曲収差の図を図５に、コマ収差の図を図６に示す。  
図７に、実施例３の投射用レンズのレンズ構成を示す。  
実施例３の投射用レンズは「リアタイプのプロジェクタ」としての使用状態を表しており、第１レンズ群Ｉと第２レンズ群ＩＩの光軸は１２８°折れ曲がっている。
【００７７】
「実施例３」  
単位  ｍｍ
面番号     Ｒ         Ｄ         Ｎｄ     νｄ      有効径
物面         ∞    492.000
1*    −449.207      4.459     1.49154     57.8     47.634
2*       48.395     21.331                          37.654
3       106.582      2.600     1.62004     36.3     28.103
4        26.943     13.223                          20.444
5      −70.442      1.700     1.67003     47.2     19.595
6        28.240      9.781                          17.178
7        40.747      7.212     1.51680     64.2     18.035
8     −244.437     58.995                          17.800
9        31.473      3.458     1.75520     27.5     10.200
10      127.570      6.211                           9.889
11(絞り)     ∞      7.584                           9.164
12*    −51.849      3.000     1.50966     56.5      8.500
13*    −51.815     12.535                           8.832
14      116.530      1.200     1.84666     23.8     10.300
15       18.721     10.459     1.48749     70.4     10.545
16     −15.200      1.200     1.83400     37.3     11.182
17     −29.324      0.326                          12.517
18       62.776      7.578     1.48749     70.4     14.185
19     −25.819      5.000                          14.405
20           ∞     30.000     1.51680     64.2     13.309
21           ∞      3.276                          11.014
像面         ∞                                              。
【００７８】
「非球面」  
第１面  
Ｋ＝0、Ａ4＝0.100499×10−4、Ａ6＝−0.691130×10−8、
Ａ8＝0.263209×10−11、Ａ10＝−0.140671×10−15、
Ａ12＝−0.190753×10−18、Ａ14＝0.470014×10−22
第２面  
Ｋ＝−6.714297、Ａ4＝0.109033×10−4、Ａ6＝0.985683×10−8、
Ａ8＝−0.360523×10−10、Ａ10＝0.372175×10−13、
Ａ12＝−0.176171×10−16、Ａ14＝0.318090×10−20
第１２面  
Ｋ＝8.785308、Ａ4＝0.351962×10−5、Ａ6＝−0.427746×10−6、
Ａ8＝0.124832×10−7、Ａ10＝−0.136509×10−9、Ａ12＝0.604783×10−12
第１３面  
Ｋ＝−59.207358、Ａ4＝−0.474432×10−4、Ａ6＝0.277752×10−6、
Ａ8＝0.256572×10−8、Ａ10＝−0.469664×10−10、Ａ12＝0.247787×10−12        。
【００７９】
「各種データ」
焦点距離          ７．３５
Ｆナンバー        ２．２
半画角          ５４．６°
像高            １０．６４
レンズ全長    ２００．８１
ＢＦ            ２７．９６                                        。
【００８０】
「条件のパラメータの値」
（１）Ｂｆ／ｆ＝３．８１
（２）｜ｆ１／ｆ｜＝２．６８
（３）｜ｆ２／ｆ｜＝６．１５
（４）｜（ＮL＋ＮR  ）／２−ＮC  ｜＝０．３５
（５）｜（νL＋νR  ）／２−νC  ｜＝３９．８５
（６）θgF−(０．６４３８−０．００１６８２ν)＝０．００９
（７）ＤＧ12／ｆ＝８．０３
（８）｜ｆP／ｆ２｜＝１１１．４８                          。
【００８１】
実施例３の投射用レンズを縮小側ベスト像面で評価した球面収差、非点収差、歪曲収差の図を図８に、コマ収差の図を図９に示す。
【００８２】
図１０に、実施例４の投射用レンズのレンズ構成を示す。  
実施例４の投射用レンズは「リアタイプのプロジェクタ」としての使用状態を表しており、第１レンズ群Ｉと第２レンズ群ＩＩの光軸は１２８°折れ曲がっている。
【００８３】
「実施例４」  
単位  ｍｍ
面番号     Ｒ         Ｄ        Ｎｄ      νｄ      有効径
物面         ∞    493.000
1*    −222.076      5.991     1.49154     57.8     47.861
2*       54.843     17.383                          37.489
3        96.185      2.600     1.74330     49.2     29.295
4        26.889     15.409                          21.208
5      −68.510      1.700     1.71700     48.0     19.488
6        31.654      8.573                          17.471
7        47.916      8.911     1.51680     64.2     18.240
8      −90.139     59.564                          18.000
9        34.108      4.153     1.75520     27.5      9.800
10      220.339      2.429                           8.991
11(絞り)     ∞      7.763                           8.330
12*    −43.317      3.000     1.53046     56.0      8.500
13*    −52.974     12.392                           8.805
14       77.542      2.241     1.84666     23.8     10.400
15       19.704     11.013     1.49700     81.6     10.616
16     −15.261      1.200     1.83400     37.3     11.290
17     −31.243      0.326                          12.587
18       86.061      7.110     1.51680     64.2     13.838
19     −26.962      5.000                          14.108
20           ∞     30.000     1.51680     64.2     13.104
21           ∞      2.471                          10.905
像面         ∞                                          。
【００８４】
「非球面」  
第１面  
Ｋ＝−1.818251、Ａ4＝0.105293×10−4、Ａ6＝−0.680898×10−8、
Ａ8＝0.252740×10−11、Ａ10＝−0.146651×10−15、
Ａ12＝−0.174800×10−18、Ａ14＝0.444959×10−22
第２面  
Ｋ＝−8.833827、Ａ4＝0.108663×10−4、Ａ6＝0.986785×10−8、
Ａ8＝−0.361478×10−10、Ａ10＝0.371434×10−13、
Ａ12＝−0.176224×10−16、Ａ14＝0.322052×10−20
第１２面  
Ｋ＝−4.688156、Ａ4＝0.249003×10−4、Ａ6＝−0.493209×10−6、
Ａ8＝0.128946×10−7、Ａ10＝−0.154679×10−9、Ａ12＝0.733313×10−12
第１３面  
Ｋ＝−73.187965、Ａ4＝−0.228807×10−4、Ａ6＝0.362488×10−6、
Ａ8＝0.104075×10−8、Ａ10＝−0.443894×10−10、Ａ12＝0.273199×10−12        。
【００８５】
「各種データ」
焦点距離          ６．９９
Ｆナンバー        ２．４
半画角          ５６．０°
像高            １０．６４
レンズ全長    １９８．９２
ＢＦ            ２７．１６                                                。
【００８６】
「条件のパラメータの値」
（１）  Ｂｆ／ｆ＝３．８８
（２）  ｜ｆ１／ｆ｜＝２．９１
（３）  ｜ｆ２／ｆ｜＝６．０２
（４）  ｜（ＮL＋ＮR）／２−ＮC｜＝０．３４
（５）  ｜（νL＋νR）／２−νC｜＝５１．０５
（６）  θgF−(０．６４３８−０．００１６８２ν)＝０．０１９
（７）  ＤＧ12／ｆ＝８．５２
（８）  ｜ｆP／ｆ２｜＝１１．９３                                          。
【００８７】
実施例４の投射用レンズを縮小側ベスト像面で評価した球面収差、非点収差、歪曲収差の図を図１１に、コマ収差の図を図１２に示す。
【００８８】
図１３に、実施例５の投射用レンズのレンズ構成を示す。  
実施例５の投射用レンズは「リアタイプのプロジェクタ」としての使用状態を表しており、第１レンズ群Ｉと第２レンズ群ＩＩの光軸は１２０°折れ曲がっており、第２レンズ群に配された第６レンズは拡大側の面のみ非球面となっている。
【００８９】
「実施例５」  
面番号     Ｒ         Ｄ        Ｎｄ      νｄ      有効径
物面         ∞    529.000
1*    −585.636      5.331     1.49154     57.8     47.963
2*       48.844     21.954                          37.229
3       107.736      2.600     1.62588     35.7     29.073
4        27.032     17.887                          21.216
5      −53.280      2.638     1.65844     50.9     18.128
6        26.574      4.656                          16.217
7        34.126      8.229     1.51680     64.2     17.134
8     −136.922     46.841                          17.800
9        37.353      4.122     1.75520     27.5      9.800
10   −2460.212      4.457                           9.440
11(絞り)     ∞      7.714                           8.439
12*    −58.505      3.000     1.49154     57.8      8.500
13     −63.243     10.840                           8.830
14      121.732      2.400     1.84666     23.8     10.300
15       19.521     11.547     1.48749     70.4     10.597
16     −15.998      1.909     1.80610     33.3     11.511
17     −30.608      0.344                          12.978
18       56.587      7.439     1.49700     81.6     14.537
19     −30.441      5.000                          14.711
20           ∞     30.000     1.51680     64.2     13.586
21           ∞      3.548                          11.071
像面         ∞                                          。
【００９０】
「非球面」  
第１面  
Ｋ＝0、Ａ4＝0.100627×10−4、Ａ6＝−0.690920×10−8、
Ａ8＝0.262290×10−11、Ａ10＝−0.139864×10−15、
Ａ12＝−0.190036×10−18、Ａ14＝0.464711×10−22
第２面  
Ｋ＝−5.697279、Ａ4＝0.112735×10−4、Ａ6＝0.996812×10−8、
Ａ8＝−0.360197×10−10、Ａ10＝0.372242×10−13、
Ａ12＝−0.176259×10−16、Ａ14＝0.315696×10−20
第１２面  
Ｋ＝15.468886、Ａ4＝0.752082×10−5、Ａ6＝−0.397514×10−6、
Ａ8＝0.104861×10−7、Ａ10＝−0.123504×10−9、Ａ12＝0.567271×10−12        。
【００９１】
「各種データ」
焦点距離          ７．８９
Ｆナンバー        ２．４
半画角          ５２．７°
像高            １０．６４
レンズ全長    １９２．１３
ＢＦ            ２８．２２                                            。
【００９２】
「条件のパラメータの値」
（１）  Ｂｆ／ｆ＝３．５８
（２）  ｜ｆ１／ｆ｜＝２．２６
（３）  ｜ｆ２／ｆ｜＝５．５７
（４）  ｜（ＮL＋ＮR）／２−ＮC｜＝０．３４
（５）  ｜（νL＋νR）／２−νC｜＝４１．８５
（６）  θgF−(０．６４３８−０．００１６８２ν)＝０．０２３
（７）  ＤＧ12／ｆ＝５．９４
（８）  ｜ｆP／ｆ２｜＝４５．６４                                      。
【００９３】
実施例５の投射用レンズを縮小側ベスト像面で評価した球面収差、非点収差、歪曲収差の図を図１４に、コマ収差の図を図１５に示す。
【００９４】
上に挙げた実施例１〜５の投射用レンズは何れも、拡大側の共役点が無限遠の時の空気中におけるバックフォーカス：Ｂｆ、全系の焦点距離：ｆ、第１レンズ群の焦点距離：ｆ１、第２レンズ群の焦点距離：ｆ２が、条件：
（１）  ２．５  ＜  Ｂｆ／ｆ  ＜  ４．１
（２）  １．８  ＜｜ｆ１／ｆ｜＜  ３．２
（３）  ５．０  ＜｜ｆ２／ｆ｜＜  ６．５
を満足している（請求項１）。また、条件（４）〜（１０）を満足している。
【図面の簡単な説明】
【００９５】
【図１】実施例１のレンズ構成図である。
【図２】実施例１の球面収差、非点収差、歪曲収差を示す図である。
【図３】実施例１のコマ収差を示す図である。
【図４】実施例２のレンズ構成図である。
【図５】実施例２の球面収差、非点収差、歪曲収差を示す図である。
【図６】実施例２のコマ収差を示す図である。
【図７】実施例３のレンズ構成図である。
【図８】実施例３の球面収差、非点収差、歪曲収差を示す図である。
【図９】実施例３のコマ収差を示す図である。
【図１０】実施例４のレンズ構成図である。
【図１１】実施例４の球面収差、非点収差、歪曲収差を示す図である。
【図１２】実施例４のコマ収差を示す図である。
【図１３】実施例５のレンズ構成図である。
【図１４】実施例５の球面収差、非点収差、歪曲収差を示す図である。
【図１５】実施例５のコマ収差を示す図である。
【図１６】リアタイプのプロジェクタの実施の形態を示す図である。
【符号の説明】
【００９６】
Ｉ    第１レンズ群
II    第２レンズ群
Ｓ    開口絞り  
Ｐ    プリズム
ＭD  表示素子
SC   スクリーン
M    背面ミラー
L     投射用レンズ
IL    照明光学系
【図１】
0005026929.tif 000002
【図２】
0005026929.tif 000003
【図３】
0005026929.tif 000004
【図４】
0005026929.tif 000005
【図５】
0005026929.tif 000006
【図６】
0005026929.tif 000007
【図７】
0005026929.tif 000008
【図８】
0005026929.tif 000009
【図９】
0005026929.tif 000010
【図１０】
0005026929.tif 000011
【図１１】
0005026929.tif 000012
【図１２】
0005026929.tif 000013
【図１３】
0005026929.tif 000014
【図１４】
0005026929.tif 000015
【図１５】
0005026929.tif 000016
【図１６】
0005026929.tif 000017